(57)【要約】【課題】変速比がステップ的に変化する場合であっても駆動力の変化を滑らかにし、また減速操作に応じた変化となるように駆動力を制御できる装置を提供する。【解決手段】減速操作の操作量に基づいて駆動トルクを制御するコントローラを備え、コントローラは、各変速段ごとの駆動力線に沿って駆動力を変化させる基本駆動力特性制御と、変速時駆動力特性制御とを行うように構成され、変速時駆動力特性制御は、変速比を変更する変速が実行される場合に、駆動トルクを変速前のトルクから操作量の変化に応じて変化させる補助駆動力線を設定し、変速が達成された後の駆動トルクを補助駆動力線に沿って変化させ、前記補助駆動力線に沿って変化させた駆動トルクが、前記変速の後の変速比ごとに前記操作量に応じて予め定められているトルクに一致するまで前記補助駆動力線に沿って駆動トルクを変化させる制御である。【選択図】図５
2018130987.tif 000002
【特許請求の範囲】
【請求項１】
運転者の加減速操作によって出力トルクを変更する駆動力源の出力側に、変速比を段階的に変化させる自動変速機が連結され、走行のための駆動トルクを前記自動変速機で設定される変速比ごとに前記加減速操作の操作量に応じて予め定められたトルクに制御する基本駆動力特性制御を有する、車両の駆動力制御装置において、
前記加減速操作の操作量に基づいて前記駆動トルクを制御するコントローラを備え、
前記コントローラは、前記基本駆動力特性制御と、変速時駆動力特性制御とを行うように構成され、
前記変速時駆動力特性制御は、
前記変速比を変更する変速が実行される場合に、前記駆動トルクを前記変速前のトルクから前記操作量の変化に応じて変化させる補助駆動力線を設定し、
前記変速が達成された後の前記駆動トルクを前記補助駆動力線に沿って変化させ、
前記補助駆動力線に沿って変化させた駆動トルクが、前記変速の後の変速比ごとに前記操作量に応じて予め定められているトルクに一致するまで前記補助駆動力線に沿って駆動トルクを変化させる制御である
ことを特徴とする車両の駆動力制御装置。
【発明の詳細な説明】
【技術分野】
【０００１】
本発明は、変速比がステップ的（段階的）に変化する自動変速機がエンジンなどの駆動力源の出力側に連結されている車両における駆動力、特に変速時の駆動力を制御する装置に関するものである。
【背景技術】
【０００２】
車両の駆動力（走行するトルク）は、駆動力源が出力するトルクと変速機で設定される変速比とによって決まる。自動変速機を搭載した車両では、運転者が意図もしくは期待する駆動力を発生するように駆動力源の出力トルクと変速比とを制御している。この種の車両における運転者の加減速などの意図は、アクセルペダルの踏み込み量であるアクセル開度やシフト装置の運転者による操作に基づいて把握もしくは検出される。したがって従来、自動変速機を搭載した車両では、アクセル開度が増大し、あるいは車速が低下することによりダウンシフトを実行し、また反対にアクセル開度が低下し、あるいは車速が増大することによりアップシフトを実行している。さらに最近では、自動変速機であっても運転者の手動操作（マニュアル操作）によってアップシフトあるいはダウンシフトを実行し、マニュアル操作によって選択された変速比を維持するように変速機を制御する例がある。さらに、変速比を変化させるだけでなく、駆動力源の出力トルクを自動変速機での変速と併せて制御することにより、駆動力をより多様に制御することが行われている。
【０００３】
特許文献１に記載された装置はその一例であり、特許文献１に記載された装置では、自動変速機で設定される各変速段ごとにアクセル開度と駆動トルクとの関係を定めた駆動力特性マップを用意し、所定の変速段を設定して走行している際には、その変速段に対応する駆動力特性マップから求まる駆動力となるように制御している。また、この装置では、変速段を変更する場合には、変速前の駆動力特性マップから求まる駆動力から変速後の駆動力特性マップから求まる駆動力にステップ的に変化させずに、これらの各変速段の駆動力特性マップから求まる駆動力の間の駆動力を順次設定して、変速時の全体としての駆動力の変化が滑らかになるように制御している。
【０００４】
また、アクセル開度が一定であれば、運転者は車速あるいは加速度もしくは減速度が変化しないことを意図していないと考えられる。そこで例えば特許文献２に記載された制御装置は、アクセル開度が一定でかつ走行路面の勾配が一定の場合には、ハイブリッド車両の加速度を一定に維持するように構成されている。さらに、変速比がステップ的に変化するとしても変速終了時に駆動力段差を生じさせないように制御する装置が特許文献３に記載されている。特許文献３に記載された装置は、アクセルペダルが踏み込まれていないアクセルオフの状態でのマニュアルダウンシフト中にアクセル開度を検出し、アクセル開度がしきい値以上であれば、タービントルクと変速の進行度とに基づいて現在発生する駆動力を推定し、その推定された駆動力が目標駆動力となるように制御している。
【先行技術文献】
【特許文献】
【０００５】
【特許文献１】特開２００９−１２１２３８号公報
【特許文献２】国際公開２０１６／１７５２２１号
【特許文献３】特開２００７−１９８３５７号公報
【発明の概要】
【発明が解決しようとする課題】
【０００６】
特許文献１に記載された装置によれば、アクセルペダルを踏み込んで駆動力が変速前の駆動力特性マップで決まる駆動力から変速後の駆動力特性マップで決まる駆動力に変化する場合、これらの駆動力特性マップの間の駆動力を経由させて駆動力を変化させるから、駆動力の変化が滑らかになる。しかしながら、そのように駆動力を変化させる要因となっている変速が、アクセル開度が一定に維持されているなど、運転者の加減速操作に基づかない変速であった場合には、たとえ変化が滑らかであっても駆動力が変化するので、運転者が意図していない車両の挙動の変化が生じることになり、これが違和感になる可能性がある。また、アクセルペダルを戻した場合には、各変速段ごとに設けてある駆動力特性マップに即して駆動力を制御するので、その駆動力特性マップ上の駆動力になるまで駆動力は一定に維持されてしまい、違和感となる可能性がある。しかも特許文献１の装置による駆動力の新たな制御は、ダウンシフトの際の駆動力制御に限られてしまう。
【０００７】
また、特許文献２に記載された装置は、ハイブリッド車が走行中にエンジンをいわゆる押し掛けする際に回転数を制御する装置であり、有段自動変速機を搭載した車両における変速時の駆動力制御には直ちには使用することができない。さらに特許文献３に記載された装置は、クラッチが解放状態から完全に係合して変速が終了する時点までの過程における駆動力を目標駆動力に基づいて制御するので、変速終了時の駆動力段差を解消もしくは抑制することができる。しかしながら、特許文献３に記載された装置は、変速の過程での駆動力の制御を行う装置であり、したがって車両の駆動力は変速が完了した時点で変速後の変速比に基づいて定まる駆動力にステップ的に変化する。そのため、上述したように、変速自体がアクセル操作などの運転者による加減速操作に基づかない変速の場合には、意図せずに駆動力がステップ的に変化し、これが違和感となる可能性がある。
【０００８】
本発明は上記の技術的課題に鑑みてなされたものであって、変速比がステップ的に変化するとしても運転者の意図とは乖離した駆動力の変化が生じたり、これが違和感となったりすることを回避もしくは抑制することのできる駆動力制御装置を提供することを目的とするものである。
【課題を解決するための手段】
【０００９】
上記の目的を達成するために、本発明は、運転者の加減速操作によって出力トルクを変更する駆動力源の出力側に、変速比を段階的に変化させる自動変速機が連結され、走行のための駆動トルクを前記自動変速機で設定される変速比ごとに前記加減速操作の操作量に応じて予め定められたトルクに制御する基本駆動力特性制御を有する、車両の駆動力制御装置において、前記加減速操作の操作量に基づいて前記駆動トルクを制御するコントローラを備え、前記コントローラは、前記基本駆動力特性制御と、変速時駆動力特性制御とを行うように構成され、前記変速時駆動力特性制御は、前記変速比を変更する変速が実行される場合に、前記駆動トルクを前記変速前のトルクから前記操作量の変化に応じて変化させる補助駆動力線を設定し、前記変速が達成された後の前記駆動トルクを前記補助駆動力線に沿って変化させ、前記補助駆動力線に沿って変化させた駆動トルクが、前記変速の後の変速比ごとに前記操作量に応じて予め定められているトルクに一致するまで前記補助駆動力線に沿って駆動トルクを変化させる制御であることを特徴とする駆動力制御装置である。
【発明の効果】
【００１０】
本発明によれば、所定の変速比が設定されて車両が走行している状態で運転者が加減速操作を行うと、変速が生じなければ、駆動トルクは、変速比ごとに操作量に応じて定められているトルクに制御される。すなわち、基本駆動力特性制御が実行される。これに対して、変速が実行される場合、駆動トルクは、変速時駆動力特性制御によって制御される。その変速時駆動力特性制御は、変速比の変化によらずに操作量の変化に応じて駆動トルクを変化させる制御であるから、変速比が変更されるとしても、その時点で加減速操作量が変化していなければ、駆動トルクは変速前のトルクに維持される。このような駆動トルクの維持は、駆動力源の出力トルクを制御することにより実行される。変速比が切り替わった状態で操作量が変速前の状態から変化していれば、駆動トルクが操作量に応じたトルクに制御され、そのトルクは、その時点の操作量および変速前の変速比に基づいて定まるトルクと、その時点の操作量および変速後の変速比に基づいて定まるトルクとの間のトルクとなる。したがって、変速比が変更されるとしても、駆動トルクは、変化した前記操作量に応じたトルクに設定されるので、加減速の意図のない状態での駆動トルクの変化を防止もしくは抑制できるとともに、変速前の駆動トルクから変速後の駆動トルクへの変化を滑らかなものとすることができる。また、補助駆動力線に沿った駆動トルクの制御は、その駆動トルクが基本駆動力特性制御によるトルクに一致するまで継続されるので、補助駆動力線に沿った駆動トルクの制御中に操作量が増減した場合、駆動トルクは補助駆動力線に沿って変化するので、操作量に応じた駆動トルクを設定することができ、操作量と駆動トルクとが乖離するなどの事態が生じることを回避できる。しかも本発明によれば、このような操作量に応じた滑らかな駆動トルクの変化は、ダウンシフトに限らず、アップシフトの場合にも達成することができる。
【図面の簡単な説明】
【００１１】
【図１】本発明の実施形態における車両の駆動系統を示す模式図である。
【図２】その自動変速機の変速を制御するために使用する変速線図を模式的に示す図である。
【図３】ｎ段および（ｎ−１）段ならびに（ｎ＋１）段の駆動力線の例を模式的に示す図である。
【図４】本発明の実施形態で実行される制御を説明するためのフローチャートである。
【図５】（ａ）は本発明の一実施形態における駆動トルクの変化を示す線図、（ｂ）はそのような駆動トルクの変化が生じる場合のアクセル開度や変速段、駆動トルクのタイムチャートである。
【図６】（ａ）は本発明の他の実施形態における駆動トルクを示す線図、（ｂ）はそのような駆動トルクが生じる場合のアクセル開度や変速段、駆動トルクのタイムチャートである。
【図７】駆動トルクが補助駆動力線上のトルクになっている状態からアクセルペダルを踏み戻した場合の例を示しており、（ａ）は駆動トルクの変化を示す線図、（ｂ）はそのような駆動トルクの変化が生じる場合のアクセル開度や変速段、駆動トルクのタイムチャートである。
【図８】アップシフトの場合の例を示しており、（ａ）は駆動トルクの変化を示す線図、（ｂ）はそのような駆動トルクの変化が生じる場合のアクセル開度や変速段、駆動トルクのタイムチャートである。
【発明を実施するための形態】
【００１２】
図１に本発明の実施形態における車両１０の一例を模式的に示してある。この車両１０においては、駆動力源１の出力側に自動変速機２が連結され、自動変速機２から出力されたトルクが終減速機であるデファレンシャルギヤ３を介して左右の駆動輪４に伝達される。駆動力源１はガソリンエンジンなどの内燃機関やモータを備え、その出力を電気的に制御できるように構成されている。自動変速機２は、電気的な制御によって変速比を段階的（ステップ的）に設定するように構成された変速機であり、歯車機構を備えたいわゆる有段自動変速機や、変速比を連続的に変化させることのできる機構を備え、かつ設定する変速比を段階的に変化させる無段変速機などによって構成されていてよい。
【００１３】
駆動力源１や自動変速機２を制御する電子制御装置（ＥＣＵ）５を備えている。電子制御装置５は、マイクロコンピュータを主体にして構成され、図示しない各種のセンサから入力されるデータや予め記憶しているデータなどを使用して演算を行い、その演算の結果を制御指令信号として出力するように構成されている。入力されるデータの一例は、加減速の操作量に相当するアクセル開度Ａｃｃ、車速Ｖ、シフト装置（図示せず）を手動操作することによるマニュアルシフト信号Ｓｍなどであり、また予め記憶しているデータは、各変速段をアクセル開度や車速によって定めたマップ（変速線図）や、各変速段ごとにアクセル開度に対応させて駆動力（駆動トルク）Ｆを定めた駆動力線などである。さらに、電子制御装置５から出力される制御指令信号は、エンジン１の出力トルクを制御するための駆動信号、自動変速機２で設定する変速段を指示する変速信号などである。なお、エンジン１が電子スロットルバルブ（図示せず）を備えている場合には、前記駆動信号はその電子スロットルバルブの開度信号であってよい。
【００１４】
変速線図は、従来の自動変速機で変速段を設定するために使用されているものと同様の線図であり、例えば図２に模式的に示すように、車速Ｖとアクセル開度Ａｃｃとによって変速段の領域を決めてある。図２における実線はｎ段から（ｎ＋１）段へのアップシフト線であり、車速Ｖとアクセル開度Ａｃｃとによって決まる走行状態がアップシフト線を低車速側から高車速側に変化し、あるいはアクセル開度Ａｃｃが高開度側から低開度側に変化することによりｎ段から（ｎ＋１）段へのアップシフトの判断が成立する。また、図２で破線はｎ段から（ｎ−１）段へのダウンシフト線であり、車速Ｖとアクセル開度Ａｃｃとによって決まる走行状態がダウンシフト線を高車速側から低車速側に変化し、あるいはアクセル開度Ａｃｃが低開度側から高開度側に変化することによりｎ段から（ｎ−１）段へのダウンシフトの判断が成立する。なお、図２には車速Ｖが増大してｎ段から（ｎ＋１）段へのアップシフトが生じる場合、およびアクセル開度Ａｃｃが増大してｎ段から（ｎ−１）段へのダウンシフトが生じる場合の走行状態の変化を矢印で示してある。また、図１に示す自動変速機２では、運転者がシフト装置（図示せず）によって変速段を選択もしくは切り替える操作を行うことによるマニュアルシフト信号Ｓｍによっても変速の判断が成立し，アップシフトもしくはダウンシフトが実行される。
【００１５】
上記の車両１０における走行のための駆動トルクＦは、駆動力源１の出力トルクもしくは自動変速機２の変速機構に入力されるトルクに自動変速機２での変速比（変速機構で設定される変速比）を掛けることにより求まるトルクである。したがって、駆動トルクＦは変速比だけでなく、駆動力源１の出力トルクを適宜に制御することにより任意のトルクに設定することができる。駆動力線はこのような自由度のある駆動トルクＦを制御するために予め用意されている制御マップである。より具体的には、アクセル開度Ａｃｃで代表される加減速操作量に対応する駆動トルクＦが各変速段ごとに定められている。
【００１６】
図３に（ｎ−１）段、ｎ段、（ｎ＋１）段の駆動力線を模式的に示してある。図３に示すように、変速比が小さいほど（高車速側の変速段ほど）駆動トルクＦが小さく、アクセル開度Ａｃｃが大きいほど駆動トルクＦは大きくなる。上述した車両１０が走行している場合、駆動トルクＦはその時点の変速段に対応する駆動力線とその時点のアクセル開度Ａｃｃを示す線との交点で表されるトルクに制御され、その状態からアクセルペダルが踏み込まれ、あるいは踏み戻されるなど加減速操作が行われると、その時点の変速段に対応する駆動力線上の駆動トルクに変化させられる（制御される）。また、変速が実行されると、変速後の変速段に対応する駆動力線上の駆動トルクであってその時点のアクセル開度Ａｃｃに応じた駆動トルクが設定される。図３にはアクセル開度Ａｃｃが増大してｎ段から（ｎ−１）段にダウンシフトした場合の駆動トルクＦの変化、およびアクセル開度Ａｃｃが減少してｎ段から（ｎ＋１）段にアップシフトした場合の駆動トルクＦの変化の例を矢印で示してある。アクセル開度Ａｃｃの変更に伴う変速および各変速段ごとの駆動力線に沿った駆動トルクの制御は、上述した電子制御装置５によって実行され、このような制御が本発明の実施形態における通常駆動力特性制御に相当し、また電子制御装置５が本発明の実施形態におけるコントローラに相当する。
【００１７】
上記の車両１０における変速は、アクセル開度Ａｃｃが変化することにより実行されるだけでなく、アクセル開度Ａｃｃが変化することなく車速Ｖが変化することにより実行され、あるいは運転者がシフト装置をマニュアル操作することにより実行されることがある。本発明の実施形態における動力制御装置は、変速段（変速比）がステップ的に変更された場合（すなわち変速が生じた場合）、駆動トルクを各変速段ごとの駆動力線に即して制御せずに、各駆動力線で定まるトルクの間のトルクに制御するように構成されている。変速時におけるこのような駆動トルクの制御が本発明の実施形態における変速時駆動力特性制御に相当する。
【００１８】
図４はその変速時駆動力特性制御の一例を説明するためのフローチャートであり、上述した車両１０が走行している際に所定の短時間ごとに繰り返し実行される。先ず、変速の開始が判断される（ステップＳ１）。この判断は、前述した自動変速機２に対する変速指令信号に基づいて行うことができる。変速の判断が成立していないことにより変速が開始していなければステップＳ１で否定的に判断され、その場合、特に制御を行うことなくリターンする。
【００１９】
ステップＳ１で肯定的に判断された場合、変速開始時の駆動力（駆動トルク）が推定される（ステップＳ２）。駆動トルクは前述したように、駆動力源１の出力トルクに変速比を掛けて求められる。駆動力源１の出力トルクは、駆動力源１に対する電子制御装置５からの指令信号に基づいて求めることができ、あるいは駆動力源１がガソリンエンジンであればスロットル開度や燃料噴射量に基づいて出力トルクを推定することができる。さらに、自動変速機２がトルクコンバータ（図示せず）を有している場合には、トルクコンバータにおける速度比を駆動力源１の出力トルクに加味して駆動トルクを推定することになる。
【００２０】
ついで変速後のアクセル開度に対する駆動力線が算出される（ステップＳ３）。この駆動力線は、前述した変速段ごとの駆動力線とは異なり、変速段ごとの駆動力線を結んだ状態に設定される駆動力線であって、変速に伴う駆動トルクの変化が滑らかになるように予め用意されている駆動力線である。したがって、このような変速時に使用される駆動力線は補助駆動力線と称することができ、ステップＳ３では上記のステップＳ２で推定された変速開始時駆動トルクを使用して補助駆動力線が選択もしくは設定される。変速が実行された状態でアクセル開度が変速前の開度から変化している場合の駆動トルクを制御するために、駆動トルクの制御のための駆動力線が上記の補助駆動力線に読み替えられる（ステップＳ４）。読み替えられた駆動力線の具体例は後述する。
【００２１】
したがって、ステップＳ４の制御を実行することにより、変速が実行された時点の駆動トルクは、その時点のトルクに設定もしくは維持され、変速後の変速段に対応させて設けてある駆動力線で決まるトルクにステップ的に変化することはない。すなわち、駆動トルクのステップ的な変化やそれに伴う違和感が回避もしくは抑制される。また、アクセル開度が変化していることにより、駆動トルクは補助駆動力線に沿って滑らかに変化させられ。すなわち、運転者の加減速の意図に即して駆動トルクが変化し、かつその変化が滑らかなものになるので、この点においても違和感を回避もしくは抑制することができる。
【００２２】
補助駆動力線は、変速前の変速段（変速比）に対応させて設定されている駆動力線と、変速後の変速段（変速比）に対応させて設定されている駆動力線とを結んだ状態の駆動力線であり、その補助駆動力線と変速後の変速段に対応する駆動力線（いわゆる基本駆動力特性制御で使用する駆動力線）との交点（以下、Ａ点と記す）で表される駆動トルクになることにより、自動変速機２での変速に伴う駆動力制御が一旦終了する。ステップＳ５ではこのような変速時の駆動力制御を終了する状態が生じているか否かが判断される。具体的にはアクセルペダルが上記のＡ点に相当するアクセル開度Ａｃｃになるまで踏み増されているか否かが判断される。
【００２３】
ステップＳ５で肯定的に判断された状態は、変速後の変速段に対応して設けてある駆動力線で決まる駆動トルクと、補助駆動力線で決まる駆動トルクとが一致した状態である。すなわち、駆動トルクが、変速前のトルクから変速後の変速段で使用する駆動力線で決まるトルクに変化したことになり、変速に伴う過渡的な駆動トルク制御が終了した状態である。すなわち、補助駆動力線に沿った駆動トルクの制御は、基本駆動力特性制御によるトルクに一致するまで継続される。したがってこの場合、変速後のアクセル開度に対する駆動力線の読み替えを解消し、変速後の変速段に対応して設けてある駆動力線およびアクセル開度によって駆動トルクを求め、かつ制御し（ステップＳ６）、リターンする。
【００２４】
一方、ステップＳ５で否定的に判断された場合、すなわち上述したＡ点で表されるアクセル開度になるまでアクセルペダルが踏み込まれていない場合、アクセルペダルが大きく踏み戻されているか否かが判断される（ステップＳ７）。この判断の結果が肯定的になる点を仮にＢ点とすると、Ｂ点は変速後の変速段で使用する駆動力線と変速前の変速段で使用されていた駆動力線とが接近した点、言い換えればこれらの駆動力線に基づいて決まる駆動トルクの差が予め定めた所定値以下になる点である。すなわち、Ｂ点は制御終了点である。なお、その「接近」を判断するためのしきい値や前記「差」は、駆動力線の変更による駆動トルクの変化が違和感にならないなどの基準を設けて、設計上予め定めておくことができる。
【００２５】
アクセルペダルが大きく踏み戻されていることによりステップＳ７で肯定的に判断された場合には、上述したステップＳ６に進んで駆動力線の読み替えが解消され、前述した基本駆動力特性制御で使用する各変速段ごとの駆動力線による駆動トルクの制御が実行される。言い換えれば、変速時駆動力特性制御が終了される。これに対してステップＳ７で否定的に判断された場合には、特に制御を行うことなくリターンする。すなわち、駆動トルクを制御する駆動力線が前述した補助駆動力線に読み替えられていてその補助駆動力線に基づいて変速時駆動力特制御が継続される。
【００２６】
上述した変速時の駆動トルクの変化および補助駆動力線について、図５を参照して説明する。図５の（ａ）は補助駆動力線が設定されて、その補助駆動力線に沿った駆動トルクＦの変化を示し、（ｂ）はそのような駆動トルクＦの変化が生じる走行状態を模式的に示している。図５の（ｂ）に示すように車両１０がｎ段を設定して平坦路を走行している状態から所定の勾配の登坂路に差し掛かると（Ｐ１点）、アクセルペダルが踏み込まれてアクセル開度Ａｃｃが増大する。したがって駆動トルクＦは、アクセル開度Ａｃｃの増大に応じてｎ段の駆動力線に沿って増大させられる。このような駆動トルクＦの増大は、駆動力源１の出力トルクを増大させることにより達成される。その増大過程のＰ２点で、アクセル開度Ａｃｃの増大による（ｎ−１）段へのダウンシフトが実行される。
【００２７】
その場合、変速制御と併せて駆動力源１の出力トルクの制御が実行される。ダウンシフトを実行することにより変速比が増大するが、変速比の増大による駆動トルクＦの増大を相殺するように駆動力源１の出力トルクが低下させられ、その結果、駆動トルクＦが変速の実行の前後で変化しないように駆動力源１の出力トルクが制御される。図５に示す例においては、駆動トルクＦはＰ２点で示すトルクに維持される。図５の（ｂ）には駆動力源１のトルクの制御を行わない例を破線で示してあり、変速のみを実行した場合には、駆動トルクＦは変速後の変速段である（ｎ−１）段に対応して設けている駆動力線上のトルクにステップ的に増大し、このような駆動トルクの変化が違和感となる可能性がある。
【００２８】
本発明の実施形態における制御装置では、図５の（ａ）に太い実線で示す補助駆動力線が設定される。この補助駆動力線は、駆動トルクＦを、ｎ段の駆動力線上のトルクと（ｎ−１）段の駆動力線上のトルクとの間のトルク（いわゆる中間のトルク）を経由して、変速後のトルクである（ｎ−１）段の駆動力線上のトルクに向けて変化させるための駆動力線である。そのいわゆる中間のトルクは、アクセル開度Ａｃｃの増大に応じて増大し、かつアクセル開度Ａｃｃの減少に応じて低下するトルクであり、そのトルクの変化が滑らかになるように予め設定されている。したがって、ここで説明している例では、アクセル開度Ａｃｃが増大させられているので、駆動トルクＦはｎ段の駆動力線を離れてその駆動力線上のトルクより大きいトルクのＰ３点で示すトルク（補助駆動力線上のトルク）に制御される。
【００２９】
アクセル開度Ａｃｃが（ｎ−１）段へのダウンシフトを生じさせる開度であり、その開度が維持されていれば、駆動トルクＦは補助駆動力線と（ｎ−１）段の駆動力線との交点である前述したＡ点で表されるトルクに制御される。なお、図５の（ａ）にはＡ点に符号「Ｐ４」を併記してある。このＰ４点の駆動トルクＦおよびアクセル開度Ａｃｃは、前述した基本駆動力特性制御によるトルクおよび開度であり、したがってこの時点で変速に伴う過渡的な駆動トルク制御すなわち変速時駆動力特性制御が終了する。その後、車速が増大するなどのことによって運転者がアクセルペダルを踏み戻してアクセル開度Ａｃｃが減少すると、駆動トルクＦは（ｎ−１）段の駆動力線に沿って制御され、アクセル開度Ａｃｃに応じた例えば図５の（ａ）、（ｂ）のＰ５点で示すトルクに制御される。
【００３０】
本発明の実施形態における上記の駆動力制御によれば、駆動トルクは図５の（ｂ）に実線で示すように滑らかに増大し、運転者が意図しない急激な加速度の変化や違和感を回避もしくは抑制することができる。これに対して、前述した補助駆動力線を使用せずに各変速段ごとの駆動力線のみによって駆動力を制御するとすれば、図５の（ｂ）に破線で示すように、変速に伴って駆動トルクＦが急激に変化し、これが違和感となる可能性がある。
【００３１】
本発明の実施形態による駆動力制御装置は、変速の際の駆動トルクＦを、その変速の時点のトルクから変速後の変速段に対応させて設定されている駆動力線上のトルクに滑らかに変化させる補助駆動力線に沿って変化させる。その変化の過程の駆動トルクＦはアクセル開度Ａｃｃに応じたトルクに設定される。したがって、アクセルペダルの踏み込み量（アクセル開度Ａｃｃ）を一定に保ったまま、マニュアル操作によって変速を実行した場合、本発明の実施形態における駆動力制御装置によれば、駆動トルクＦは従前のトルクに保持され、変化することはない。
【００３２】
その例を図６に示してあり、ここに示す例は、車両１０が一定のアクセル開度で登坂路を走行している状態でマニュアルダウンシフト操作された場合の例である。変速段がｎ段になっている状態でダウンシフト操作されることにより変速段は図６の（ｂ）に示しように（ｎ−１）段に切り替えられる。しかしながら、アクセル開度Ａｃｃが一定に維持されていることにより、駆動トルクＦは従前のトルクに維持される。この制御は、ダウンシフトによる変速比の増大およびそれに伴う駆動トルクＦの増大を駆動力源１の出力トルクの低下によって相殺する制御として実行される。その駆動トルクＦは、図６の（ａ）に示すように、変速前の変速段であるｎ段の駆動力線上のＰ１０点のトルクになる。したがって、アクセル操作を行っていないにもかかわらず駆動トルクＦが変化したり、それに伴って違和感を生じさせたりする事態を回避もしくは抑制することができる。また、駆動トルクＦが変化しないので、アクセルペダルを踏み増したり、あるいは踏み戻したりする操作が不要であり、駆動力制御が容易になる。
【００３３】
なお、この場合も前述した補助駆動力線が設定されるから、マニュアルダウンシフトに続けてアクセルペダルが操作された場合には図６の（ａ）に太い実線で示す補助駆動力線に沿って駆動トルクＦが制御される。
【００３４】
また、図６の（ｂ）には補助駆動力線を使用しない制御を行った場合の駆動トルクＦの変化を破線で示してある。補助駆動力線を使用しない場合、すなわち変速時駆動力特性制御を行わない場合には、変速比の増大と共に駆動トルクＦが増大し、これが変速ショックや加速度の急変などの要因になり、運転者に違和感を抱かせる可能性がある。
【００３５】
つぎに、駆動トルクＦが補助駆動力線上のトルクになっている状態でアクセルペダルが踏み戻された場合の制御例を説明する。図７は前述した図５に示す例において、補助駆動力線上のＰ３点でアクセルペダルが大きく踏み戻されてアクセル開度Ａｃｃが減少し、その後、アクセルペダルが再度踏み込まれた例である。Ｐ３点でアクセル開度Ａｃｃが大きく減少した場合、制御の選択肢としては、補助駆動力線に沿って駆動トルクＦを変化させる制御、（ｎ−１）段の駆動力線に沿って駆動トルクＦを変化させる制御、ｎ段の駆動力線に沿って駆動トルクＦを変化させる制御などが考えられる。本発明の実施形態では、それらの制御のうち第１番目の補助駆動力線を使用した制御を行う。具体的には、図７の（ａ）および（ｂ）に示すように、Ｐ３点で示すアクセル開度Ａｃｃまでアクセルペダルが踏み込まれた後にアクセルペダルが踏み戻されると、駆動トルクＦはアクセル開度Ａｃｃの減少に応じて図７の（ａ）に太い実線で示す補助駆動力線に沿って低下させられる。補助駆動力線に即して駆動トルクを変化させる変速時駆動力特性制御が継続されているからである。駆動トルクＦがｎ段の駆動力線上のトルクまで低下するようにアクセル開度Ａｃｃが減少した場合には、駆動トルクＦをｎ段の駆動力線に基づいて求まるトルクに制御するものの、自動変速機２ではアップシフトが生じない。アップシフト線とダウンシフト線との間にヒステリシスが設定されているためである。この点を符号Ｐ１１で示してあり、これは前述したＰ２点と同じである。したがって、アップシフトが生じないことにより変速比が（ｎ−１）段の変速比になっているとしても、駆動力源１の出力トルクが、変速比が大きいことによる駆動トルクＦの増大分を低下させるように（相殺するように）低下させられる。
【００３６】
その後は、変速段を（ｎ−１）段に維持したまま、ｎ段の駆動力線による駆動トルクＦと同様のトルクとなるように駆動トルクＦが低下させられる。そして、ｎ段の駆動力線と（ｎ−１）段の駆動力線とが接近してこれらの駆動力線に基づく駆動トルクＦに大きな差がない状態（例えばこれらの駆動力線が交差する状態）までアクセル開度Ａｃｃが減少すると、図４のフローチャートを参照して説明したように、駆動力線の読替を解消するので、駆動トルクＦはその時点の変速段である（ｎ−１）段の駆動力線に沿って変化するように制御される。このような切り替えが生じる点が前述したＢ点であり、図７にはＰ１２点として示してある。そして、アクセル開度Ａｃｃがわずかに増大した点をＰ１３点として図７に示してあり、これは、（ｎ−１）段の駆動力線上の点である。なお、図７の（ｂ）には補助駆動力線への読替を行わない場合、すなわち変速時駆動力特性制御を行わない場合の駆動トルクＦの変化を破線で示してある。本発明の実施形態による変速時駆動力特性制御を行わないとすれば、駆動トルクＦの変化が大きくなり、また急激な変化になるので、変速ショックや違和感が生じる可能性がある。
【００３７】
なお、本発明の実施形態による制御装置は、ダウンシフトの際の駆動力制御に限らず、アップシフトの場合にも変速時駆動力特性制御を行うように構成することができる。その制御の例を図８に示してある。図８において、車両が（ｎ−１）段の変速段で走行している場合、駆動トルクＦは（ｎ−１）段の駆動力線とその時点のアクセル開度Ａｃｃとによって決まるトルクに制御される。その状態を図８でＰ２１点で示してある。この状態からアクセルペダルが次第に踏み戻されてアクセル開度Ａｃｃが徐々に減少すると、駆動トルクＦは（ｎ−１）段の駆動力線に沿って変化させられる。
【００３８】
そして、アクセル開度Ａｃｃが（ｎ−１）段からｎ段へのアップシフトが生じる開度まで減少すると（図８のＰ２２点）、それ以降、駆動トルクＦは、（ｎ−１）段の駆動力線上のＰ２２点とｎ段の駆動力線上の所定の点を繋ぐように設定された補助駆動力線によって変化するように制御される。この場合の補助駆動力線は、上述したダウンシフトの場合と同様に、（ｎ−１）段の駆動力線上のアップシフトの生じるＰ２２点からｎ段の駆動力線上のＰ２３点のトルクに向けた駆動トルクＦが滑らかに変化するように設定された駆動力線であり、設計上予め用意されている。図８の（ａ）にはこの補助駆動力線を太い実線で示してある。したがって、アップシフトが実行されても駆動トルクＦは（ｎ−１）段の駆動力線上のトルクに設定されるので、アップシフトが実行されてもアップシフトが要因となる駆動トルクＦのステップ的もしくは急激な変化は生じない。
【００３９】
アクセル開度Ａｃｃが更に減少すると、アクセル開度Ａｃｃの減少に応じて駆動トルクＦが低下させられるが、その駆動トルクＦの変化は補助駆動力線に沿う変化であり、駆動トルクＦは滑らかに変化する。そして、アクセル開度Ａｃｃが補助駆動力線とｎ段の駆動力線との交点であるＰ２３点の開度に相当する開度まで減少すると、駆動力線の読替が解消させられ、ｎ段の駆動力線に基づく駆動トルクＦの制御が実行される。駆動トルクＦの制御に使用する駆動力線がこのようにして変更されるとしても、その時点の駆動トルクＦは変更の前後におけるいずれの駆動力線上の点でもあるから駆動トルクＦが変化することはない。それ以降、ｎ段の駆動力線に沿って駆動トルクＦが制御されるから、例えばアクセル開度Ａｃｃが更に減少すると、駆動トルクＦは図８にＰ２４点として示すトルクにｎ段の駆動力線に沿って低下させられる。
【００４０】
（ｎ−１）段からｎ段にアップシフトする場合、上記のように補助駆動力線を設定して駆動トルクＦを制御することにより、変速ショックや違和感などのない変速を実行し、あるいは駆動トルクＦを制御することができる。これに対して上述した補助駆動力線を使用しない制御、すなわち本発明の実施形態における変速時駆動力特性制御を実行しないとした場合には、図８の（ｂ）に破線で示すように駆動トルクＦが変化し、アップシフトに伴って駆動トルクＦが急激に低下し、これが変速ショックや違和感となる可能性がある。
【符号の説明】
【００４１】
１…駆動力源、  ２…自動変速機、  ５…電子制御装置（ＥＣＵ）。
【図１】
2018130987.tif 000003
【図２】
2018130987.tif 000004
【図３】
2018130987.tif 000005
【図４】
2018130987.tif 000006
【図５】
2018130987.tif 000007
【図６】
2018130987.tif 000008
【図７】
2018130987.tif 000009
【図８】
2018130987.tif 000010